(57)【要約】【課題】低騒音化を図ることのできる電磁ディスクブレーキの提供。  【解決手段】回転軸と一体的に回転するディスクと、このディスクを狭圧し回転を拘束するアーマチャ２３およびプレートと、ディスクとアーマチャ２３との間に介設される摺動材２５ａ、２５ｂと、ディスクとプレートとの間に介設される摺動材と、アーマチャ２３に対しディスク２２側へ押圧力を付与する制動ばねと、アーマチャ２３に対向しコイルへの通電により磁束を発生する電磁石２とを備え、アーマチャ２３が複数に分割され、これらの分割アーマチャ２３ａ、２３ｂが独立に制動作用する電磁ディスクブレーキにおいて、隣接する一方の分割アーマチャ２３ａと他方の分割アーマチャ２３ｂとの間に介在される緩衝材３０を備え、アーマチャ２３の吸引動作時および釈放動作時、それぞれの分割アーマチャ２３ａ、２３ｂの振動を緩衝材３０により抑制する。【選択図】図２
2006002817.tif 000002
【特許請求の範囲】
【請求項１】
回転軸と一体的に回転するディスクと、このディスクを狭圧し回転を拘束するアーマチャおよびプレートと、前記ディスクと前記アーマチャとの間および前記ディスクと前記プレートとの間に介設される摺動材と、前記アーマチャに対し前記ディスク側へ押圧力を付与する制動ばねと、前記アーマチャに対向しコイルへの通電により磁束を発生する電磁石とを備え、前記アーマチャが複数に分割され、これらの分割アーマチャが独立に制動作用する電磁ディスクブレーキにおいて、
隣接する一方の前記分割アーマチャと他方の前記分割アーマチャとの間に介在される緩衝材を備えたことを特徴とする電磁ディスクブレーキ。
【請求項２】
１つの前記電磁石により前記アーマチャを制動作用させることを特徴とする請求項１記載の電磁ディスクブレーキ。
【発明の詳細な説明】
【技術分野】
【０００１】
本発明は、回転軸の回転を機械的に制動付加し、電磁的に解除する電磁ディスクブレーキに関する。
【背景技術】
【０００２】
回転軸をばねで制動力を付加し電磁力で制動を解除する電磁ディスクブレーキは、作動の確実性、安全性の面などから制動手段を２系統設けることが要求されることがある。これを図３、図４に示す。
【０００３】
すなわち、電動機Ｍに取付けられる電磁ディスクブレーキ１は図３に示すように、回転軸１１と一体的に回転するディスク１２と、このディスク１２を狭圧し回転を拘束するアーマチャ１３およびプレート１４と、アーマチャ１３に装着されディスク１２に摺接する摺動材１５ａ、１５ｂと、プレート１４に装着されディスク１２に摺接する摺動材１５ｃと、アーマチャ１３に対しディスク側へ押圧力を付与する制動ばね１６と、アーマチャ１３に対向しコイル１７への通電により磁束を発生する電磁石１８とを備えているとともに、アーマチャ１３は図４に示すように、円周方向に４個の部分体を形成し、この部分体を１つ置きにこの部分体の外周部で結合して第１のアーマチャ１３ａを構成し、残りの部分体をこの部分体の内周部で結合して第２のアーマチャ１３ｂを構成する。
【０００４】
そして、コイル１７に通電することにより、このコイル１７を内蔵した電磁石１８と第１および第２アーマチャ１３ａ、１３ｂとで磁路Ｇを形成し、アーマチャ１３を制動ばね１６の押圧力に逆らって回転軸１１方向に吸引して制動解除動作させるとともに、コイル１７に対する通電を遮断することにより、前記吸引を釈放し、制動ばね１６によりアーマチャ１３をディスク１２側へ押圧してディスク１２をアーマチャ１３およびプレート１４で狭圧し制動付加動作させるようになっている。このように構成される従来の電磁ディスクブレーキ１によれば、アーマチャ１３を第１のアーマチャ１３ａおよび第２のアーマチャ１３ｂの２つに分割することにより、２つのうち一方が動作不良を起こしても他方のアーマチャによって必要な制動力を確保できるとともに、正常な状態においては２つのアーマチャが動作して基本制動力を得ることができ、高い安全性を実現することができる（例えば、特許文献１参照）。
【特許文献１】特開平２００２−１２２１６４号公報  （段落番号００２０〜００２３、図１）
【発明の開示】
【発明が解決しようとする課題】
【０００５】
前述した従来の電磁ディスクブレーキ１では、第１のアーマチャ１３ａおよび第２のアーマチャ１３ｂはそれぞれ所定の間隔を隔てて分割配置されている。
【０００６】
しかしながら、アーマチャ１３の吸引動作時および釈放動作時、その衝撃で第１のアーマチャ１３ａと第２のアーマチャ１３ｂが振動共鳴して利用客の不安感や不快感を煽るという問題があった。
【０００７】
本発明は、上述した従来技術における実情からなされたもので、その目的は、低騒音化を図ることのできる電磁ディスクブレーキを提供することにある。
【課題を解決するための手段】
【０００８】
前記目的を達成するために、本発明は、回転軸と一体的に回転するディスクと、このディスクを狭圧し回転を拘束するアーマチャおよびプレートと、前記ディスクと前記アーマチャとの間および前記ディスクと前記プレートとの間に介設される摺動材と、前記アーマチャに対し前記ディスク側へ押圧力を付与する制動ばねと、前記アーマチャに対向しコイルへの通電により磁束を発生する電磁石とを備え、前記アーマチャが複数に分割され、これらの分割アーマチャが独立に制動作用する電磁ディスクブレーキにおいて、隣接する一方の前記分割アーマチャと他方の前記分割アーマチャとの間に介在される緩衝材を備えたことを特徴としている。
【０００９】
このように構成した本発明は、隣接する一方の分割アーマチャと他方の分割アーマチャとの間に緩衝材を介在させることにより、アーマチャの吸引動作時および釈放動作時、それぞれの分割アーマチャの振動が抑制される。したがって、従来のように振動音が共鳴することを防ぎ、低騒音化を図ることができる。
【発明の効果】
【００１０】
本発明は、隣接する一方の分割アーマチャと他方の分割アーマチャとの間に緩衝材を介在させ、それぞれの分割アーマチャの振動を抑制して低騒音化を図ることにより、利用客が不安感や不快感を抱くことを防ぐことができる。
【発明を実施するための最良の形態】
【００１１】
以下、本発明に係る電磁ディスクブレーキの実施形態を図に基づいて説明する。
【００１２】
図１は本発明の電磁ディスクブレーキの第１実施形態の要部構成を示す側面図、図２は図１に示す電磁ディスクブレーキのアーマチャ部分の正面図である。
【００１３】
本実施形態の電磁ディスクブレーキ１０は図１に示すように、電動機と連結される図示しない回転軸と一体的に回転するディスク２２と、このディスク２２を狭圧し回転を拘束するアーマチャ２３およびプレート２４と、アーマチャ２３に装着されディスク２２に摺接する摺動材２５ａ、２５ｂと、プレート２４に装着されディスク２２に摺接する摺動材２５ｃと、アーマチャ２３に対しディスク２２側へ押圧力を付与する制動ばね２６と、アーマチャ２３に対向しコイル２７への通電により磁束を発生する１つの電磁石２８とを備えている。
【００１４】
なお、前記の摺動材２５ａ、２５ｂ、２５ｃはディスク２２側に装着しても良い。
【００１５】
また、アーマチャ２３は図２に示すように、円周方向に４個の部分体を形成し、この部分体を１つ置きにこの部分体の外周部で結合して第１のアーマチャ２３ａを構成し、残りの部分体をこの部分体の内周部で結合して第２のアーマチャ２３ｂを構成している。
【００１６】
そして、隣接する第１のアーマチャ２３ａと第２のアーマチャ２３ｂとの間に介在される緩衝材３０が備えられている。
【００１７】
本実施形態の電磁ディスクブレーキ１０にあっては、コイル２７に通電することにより、このコイル２７を内蔵した電磁石２８と第１および第２アーマチャ２３ａ、２３ｂとで磁路を形成し、アーマチャ２３を制動ばね２６の押圧力に逆らって電磁石２８方向に吸引して制動解除動作させるとともに、コイル２７に対する通電を遮断することにより、前記吸引を釈放し、制動ばね２６によりアーマチャ２３をディスク２２側へ押圧してディスク２２をアーマチャ２３およびプレート２４で狭圧し制動付加動作させる。これらのアーマチャ２３の吸引動作時および釈放動作時、第１のアーマチャ２３ａと第２のアーマチャ２３ｂが衝突により振動する力が作用するが第１のアーマチャ２３ａと第２のアーマチャ２３ｂとの間に介在された緩衝材３０によりそれぞれのアーマチャ２３ａ、２３ｂの振動が抑制される。
【００１８】
本実施形態の電磁ディスクブレーキ１０によれば、アーマチャ２３の吸引動作時および釈放動作時に、それぞれのアーマチャ２３ａ、２３ｂの振動が抑制されることにより低騒音化を図ることができる。また、１つの電磁石２８により第１のアーマチャ２３ａおよび第２のアーマチャ２３ｂを制動作用させることにより、アーマチャ２３の吸引動作時および釈放動作時、複数の電磁石によりアーマチャを制動作用させるものと比較し、分割されたそれぞれのアーマチャ２３ａ、２３ｂを同期に制動作用させることができ、したがって、アーマチャ２３ａ、２３ｂ間の振動をより抑制してさらなる低騒音化を図ることができる。
【図面の簡単な説明】
【００１９】
【図１】本発明の電磁ディスクブレーキの第１実施形態の要部構成を示す側面図である。
【図２】図１に示す電磁ディスクブレーキのアーマチャ部分の正面図である。
【図３】従来の電磁ディスクブレーキの要部構成を示す側面図である。
【図４】従来の電磁ディスクブレーキのアーマチャ部分の正面図である。
【符号の説明】
【００２０】
１０    電磁ディスクブレーキ
２２    ディスク
２３    アーマチャ
２３ａ  第１のアーマチャ
２３ｂ  第２のアーマチャ
２４    プレート
２５ａ  摺動材
２５ｂ  摺動材
２５ｃ  摺動材
２６    制動ばね
２７    コイル
２８    電磁石
３０    緩衝材
【図１】
2006002817.tif 000003
【図２】
2006002817.tif 000004
【図３】
2006002817.tif 000005
【図４】
2006002817.tif 000006